(57)【要約】  本発明は無線通信の方法及び装置を開示し、該方法は、端末はセルの第一キャリアから前記セルの第二キャリアの作業パラメータを取得し、前記第一キャリアの所在する周波数帯が前記第二キャリアの所在する周波数帯と異なること、前記端末は前記セルの第二キャリアの作業パラメータによって、前記セルの第二キャリアを測定し、前記セルの第二キャリアの測定結果を得ること、前記端末が前記セルの第二キャリアから目標キャリアを確定すること、及び前記端末は前記目標キャリアによって基地局と通信することを含む。本技術案はセルに第一キャリアと第二キャリアを配置して、且つ第一キャリアと第二キャリアの所在する周波数帯が異なることによって、異なる周波数帯の特点を柔軟に利用し、通信システム全体の設計をバランスさせる。
2019523579.tif 000002
【特許請求の範囲】
【請求項１】
無線通信の方法であって、
端末はセルの第一キャリアから前記セルの第二キャリアの作業パラメータを取得し、前記第一キャリアの所在する周波数帯が前記第二キャリアの所在する周波数帯と異なること、
前記端末は前記セルの第二キャリアの作業パラメータによって、前記セルの第二キャリアを測定し、前記セルの第二キャリアの測定結果を得ること、
前記端末が前記セルの第二キャリアから目標キャリアを確定すること、及び
前記端末は前記目標キャリアによって基地局と通信することを含むことを特徴とする、無線通信の方法。
【請求項２】
前記端末が前記セルの第二キャリアから目標キャリアを確定することは、
前記端末が基地局へ前記セルの第二キャリアの測定結果を送信すること、
前記端末は前記基地局が送信した第一指示情報を受信し、前記第一指示情報は前記目標キャリアを指示することに用いられ、前記目標キャリアは、前記基地局が前記セルの第二キャリアの測定結果に基づいて前記端末のために確定されるものであること、及び
前記端末は前記第一指示情報によって、前記セルの第二キャリアから目標キャリアを確定することを含むことを特徴とする
請求項１に記載の方法。
【請求項３】
前記方法は、
前記端末が前記基地局へ第二指示情報を送信し、前記第二指示情報は前記端末の位置情報、前記端末の目標ポートの基準信号に対する測定結果及び前記端末の移動速度情報の中の少なくとも一つを含み、前記基地局が前記第二指示情報に基づいて前記端末にモビリティ管理を行い、前記目標キャリアを更新するようにすることを更に含むことを特徴とする
請求項２に記載の方法。
【請求項４】
前記端末が前記セルの第二キャリアから目標キャリアを確定することは、
前記端末が前記セルの第二キャリアの測定結果によって、前記セルの第二キャリアから前記目標キャリアを確定することを含むことを特徴とする
請求項１に記載の方法。
【請求項５】
前記第二キャリアの作業パラメータは前記第二キャリアのカバレッジ範囲を含み、前記端末が前記セルの第二キャリアの測定結果によって、前記セルの第二キャリアから前記目標キャリアを確定することは、
前記端末が前記セルの第二キャリアの測定結果、前記端末の位置情報及び前記第二キャリアのカバレッジ範囲によって、前記セルの第二キャリアから前記目標キャリアを確定することを含むことを特徴とする
請求項４に記載の方法。
【請求項６】
前記セルの第一キャリアの周波数帯は前記セルの第二キャリアの周波数帯よりも低いことを特徴とする
請求項１乃至５のいずれか一項に記載の方法。
【請求項７】
前記セルの第二キャリアの作業パラメータが前記セルの第二キャリアの基準信号の設定パラメータであり、前記セルの第二キャリアの測定結果は前記セルの第二キャリアの基準信号の品質を指示することに用いられることを特徴とする
請求項１乃至６のいずれか一項に記載の方法。
【請求項８】
無線通信の方法であって、
端末がセルの第一キャリアによって前記セルの第二キャリアの作業パラメータを取得した後、基地局は端末が送信したセルの第二キャリアの測定結果を受信すること、
前記基地局が前記セルの第二キャリアから目標キャリアを確定すること、及び
前記基地局は前記端末へ第一指示情報を送信し、前記第一指示情報は前記目標キャリアを指示することに用いられることを含むことを特徴とする、無線通信の方法。
【請求項９】
前記方法は、
前記基地局は前記端末が送信した第二指示情報を受信し、前記第二指示情報が前記端末の位置情報、前記端末の目標ポートの基準信号に対する測定結果及び前記端末の移動速度情報の中の少なくとも一つを含むこと、及び
前記基地局は前記第二指示情報によって、前記端末にモビリティ管理を行い、前記目標キャリアを更新することを更に含むことを特徴とする
請求項８に記載の方法。
【請求項１０】
前記セルの第一キャリアの周波数帯は前記セルの第二キャリアの周波数帯よりも低いことを特徴とする
請求項８又は９に記載の方法。
【請求項１１】
前記セルの第二キャリアの作業パラメータが前記セルの第二キャリアの基準信号の設定パラメータであり、前記セルの第二キャリアの測定結果は前記セルの第二キャリアの基準信号の品質を指示することに用いられることを特徴とする
請求項８乃至１０のいずれか一項に記載の方法。
【請求項１２】
無線通信の装置であって、
セルの第一キャリアから前記セルの第二キャリアの作業パラメータを取得することに用いられ、前記第一キャリアの所在する周波数帯が前記第二キャリアの所在する周波数帯と異なる取得モジュール、
前記取得モジュールで取得された前記セルの第二キャリアの作業パラメータによって、前記セルの第二キャリアを測定し、前記セルの第二キャリアの測定結果を得ることに用いられる処理モジュール、
前記セルの第二キャリアから目標キャリアを確定することに用いられる確定モジュール、及び
前記目標キャリアによって基地局と通信することに用いられる通信モジュール、を含む、ことを特徴とする、無線通信の装置。
【請求項１３】
前記確定モジュールは具体的に、
基地局へ前記セルの第二キャリアの測定結果を送信し、
前記基地局が送信した第一指示情報を受信し、前記第一指示情報が前記目標キャリアを指示することに用いられ、前記目標キャリアが、前記基地局が前記セルの第二キャリアの測定結果に基づいて端末のために確定されるものであり、
前記第一指示情報によって、前記セルの第二キャリアから目標キャリアを確定することに用いられることを特徴とする
請求項１２に記載の装置。
【請求項１４】
前記装置は、さらに
前記基地局へ第二指示情報を送信することに用いられ、前記第二指示情報が前記端末の位置情報、前記端末の目標ポートの基準信号に対する測定結果及び前記端末の移動速度情報の中の少なくとも一つを含み、前記基地局が前記第二指示情報に基づいて前記端末にモビリティ管理を行い、前記目標キャリアを更新するようにする送信モジュールを含むことを特徴とする
請求項１３に記載の装置。
【請求項１５】
前記確定モジュールは、具体的に、
前記セルの第二キャリアの測定結果によって、前記セルの第二キャリアから前記目標キャリアを確定することに用いられることを特徴とする
請求項１２に記載の装置。
【請求項１６】
前記第二キャリアの作業パラメータは前記第二キャリアのカバレッジ範囲を含み、前記確定モジュールは具体的に、
前記セルの第二キャリアの測定結果、端末の位置情報及び前記第二キャリアのカバレッジ範囲によって、前記セルの第二キャリアから前記目標キャリアを確定することにも用いられることを特徴とする
請求項１５に記載の装置。
【請求項１７】
前記セルの第一キャリアの周波数帯は前記セルの第二キャリアの周波数帯よりも低いことを特徴とする
請求項１２乃至１６のいずれか一項に記載の装置。
【請求項１８】
前記セルの第二キャリアの作業パラメータが前記セルの第二キャリアの基準信号の設定パラメータであり、前記セルの第二キャリアの測定結果は前記セルの第二キャリアの基準信号の品質を指示することに用いられることを特徴とする
請求項１２乃至１７のいずれか一項に記載の装置。
【請求項１９】
無線通信の装置であって、
端末がセルの第一キャリアによって前記セルの第二キャリアの作業パラメータを取得した後、端末が送信したセルの第二キャリアの測定結果を受信することに用いられる第一受信モジュール、
前記セルの第二キャリアから目標キャリアを確定することに用いられる確定モジュール、及び
前記端末へ第一指示情報を送信することに用いられ、前記第一指示情報が前記目標キャリアを指示することに用いられる送信モジュールを含むことを特徴とする、無線通信の装置。
【請求項２０】
前記装置は、
前記端末が送信した第二指示情報を受信することに用いられ、前記第二指示情報が前記端末の位置情報、前記端末の目標ポートの基準信号に対する測定結果及び前記端末の移動速度情報の中の少なくとも一つを含む第二受信モジュール、及び
前記第二指示情報によって、前記端末にモビリティ管理を行い、前記目標キャリアを更新することに用いられる更新モジュールを更に含むことを特徴とする
請求項１９に記載の装置。
【請求項２１】
前記セルの第一キャリアの周波数帯は前記セルの第二キャリアの周波数帯よりも低いことを特徴とする
請求項１９又は２０に記載の装置。
【請求項２２】
前記セルの第二キャリアの作業パラメータが前記セルの第二キャリアの基準信号の設定パラメータであり、前記セルの第二キャリアの測定結果は前記セルの第二キャリアの基準信号の品質を指示することに用いられることを特徴とする
請求項１９乃至２１のいずれか一項に記載の装置。
【発明の詳細な説明】
【技術分野】
【０００１】
本発明は通信分野に関し、特に無線通信の方法及び装置に関する。
【背景技術】
【０００２】
第五世代移動通信技術（５ｔｈ−Ｇｅｎｅｒａｔｉｏｎ：５Ｇと略称）の通信システムにおいて、５Ｇ通信システムの高帯域幅伝送に対するニーズを満たすために、より高い周波数帯を使用して通信することが避けられない。現在、５Ｇ通信システムは６ＧＨｚよりも低いか又は６ＧＨｚよりも高い周波数帯に配置されることができる。
【０００３】
しかし、５Ｇ通信システムは高い周波数帯に配置される時、セルのカバレッジ範囲は４Ｇと３Ｇ通信システムにおけるセルのカバレッジ範囲と比べて大幅に小さくなる。５Ｇ通信システムにおけるセルカバレッジ範囲が４Ｇ及び３Ｇ通信システムにおけるセルのカバレッジ範囲に達するために、５Ｇ通信システムにより多いセルを配置しなければならず、このように、５Ｇ通信システムにおけるセル配置の複雑性を増加する。言い換えれば、５Ｇ通信システムは高い周波数帯に配置されても又は低い周波数帯に配置されても、５Ｇ通信システム全体のアンバランスを引き起こす。
【発明の概要】
【発明が解決しようとする課題】
【０００４】
本発明は、柔軟に各周波数帯の特点を利用して、通信システム全体をバランスさせる無線通信の方法及び装置を提供する。
【課題を解決するための手段】
【０００５】
第一様態において、無線通信の方法を提供し、端末はセルの第一キャリアから前記セルの第二キャリアの作業パラメータを取得し、前記第一キャリアの所在する周波数帯が前記第二キャリアの所在する周波数帯と異なること、前記端末は前記セルの第二キャリアの作業パラメータによって、前記セルの第二キャリアを測定し、前記セルの第二キャリアの測定結果を得ること、前記端末が前記セルの第二キャリアから目標キャリアを確定すること、及び前記端末は前記目標キャリアによって基地局と通信すること、を含む。
【０００６】
本技術案はセルに第一キャリアと第二キャリアを配置し、且つ第一キャリアと第二キャリアの所在する周波数帯が異なることによって、異なる周波数帯の特点を柔軟に利用し、通信システム全体の設計（例えば、５Ｇ通信システム）をバランスさせる。
【０００７】
第一様態を組み合わせて、第一様態の一実現形態において、前記端末が前記セルの第二キャリアから目標キャリアを確定することは、前記端末が基地局へ前記セルの第二キャリアの測定結果を送信すること、前記端末は前記基地局が送信した第一指示情報を受信し、前記第一指示情報は前記目標キャリアを指示することに用いられ、前記目標キャリアは前記基地局が前記セルの第二キャリアの測定結果に基づいて前記端末のために確定されるものであること、及び前記端末は前記第一指示情報によって、前記セルの第二キャリアから目標キャリアを確定することを含む。
【０００８】
本技術案において、基地局は端末のセルにおける第二キャリアに対する測定結果によって端末に目標キャリアを配置することができ、これによって、端末は該端末伝送ニーズを満たす目標キャリアによって基地局と通信することができる。
【０００９】
第一様態又はその上記実現形態の任意の一つを組み合わせて、第一様態の他種の実現形態において、前記方法は、前記端末が前記基地局へ第二指示情報を送信し、前記第二指示情報は前記端末の位置情報、前記端末の目標ポートの基準信号に対する測定結果及び前記端末の移動速度情報の中の少なくとも一つを含み、前記基地局が前記第二指示情報に基づいて前記端末にモビリティ管理を行い、前記目標キャリアを更新するようにすることを更に含む。
【００１０】
本技術案において、基地局は第二指示情報に基づいて端末にモビリティ管理を行うことができ、端末に目標キャリアを更新し、端末は該端末伝送ニーズを満たす目標キャリアによって基地局と通信し、且つ端末が移動過程において基地局と通信する持続性を確保することができる。
【００１１】
第一様態又はその上記実現形態の任意の一つを組み合わせて、第一様態の他種の実現形態において、前記端末が前記セルの第二キャリアから目標キャリアを確定することは、前記端末が前記セルの第二キャリアの測定結果によって、前記セルの第二キャリアから前記目標キャリアを確定することを含む。
【００１２】
本技術案において、端末はセルにおける第二キャリアの測定結果に基づいて、能動的に自身のために目標キャリアを確定し、該端末は該端末伝送ニーズを満たす目標キャリアによって通信する。
【００１３】
第一様態又はその上記実現形態の任意の一つを組み合わせて、第一様態の他種の実現形態において、前記第二キャリアの作業パラメータは前記第二キャリアのカバレッジ範囲を含み、前記端末が前記セルの第二キャリアの測定結果によって、前記セルの第二キャリアから前記目標キャリアを確定することは、前記端末が前記セルの第二キャリアの測定結果、前記端末の位置情報及び前記第二キャリアのカバレッジ範囲に基づいて、前記セルの第二キャリアから前記目標キャリアを確定することを含む。
【００１４】
本技術案において、端末は第二キャリアの測定結果、端末の位置情報及び第二キャリアのカバレッジ範囲によって自身のために目標キャリアを確定することによって、該端末は該端末伝送ニーズを満たす目標キャリアによって通信を行い、且つ自身のために選択された目標キャリアはより合理である。
【００１５】
第一様態又はその上記実現形態の任意の一つを組み合わせて、第一様態の他種の実現形態において、前記セルの第一キャリアの周波数帯は前記セルの第二キャリアの周波数帯よりも低い。
【００１６】
本技術案において、第一キャリアと第二キャリアの配置はそれぞれ異なる周波数帯にあり、端末は周波数帯の低い第一キャリアによって周波数帯の高い第二キャリアの作業パラメータを取得することができ、異なる周波数帯の特点を柔軟に利用し、これによって通信システム全体の設計をバランスさせる。
【００１７】
第一様態又はその上記実現形態の任意の一つを組み合わせて、第一様態の他種の実現形態において、前記セルの第二キャリアの作業パラメータが前記セルの第二キャリアの基準信号の設定パラメータであり、前記セルの第二キャリアの測定結果は前記セルの第二キャリアの基準信号の品質を指示することに用いられる。
【００１８】
第二様態において、無線通信の方法を提供し、在端末がセルの第一キャリアによって前記セルの第二キャリアの作業パラメータを取得した後、前記基地局は端末が送信したセルの第二キャリアの測定結果を受信すること、前記基地局が前記セルの第二キャリアから目標キャリアを確定すること、及び前記基地局前記端末へ第一指示情報を送信し、前記第一指示情報が前記目標キャリアを指示することに用いられることを含む。
【００１９】
本技術案はセルに第一キャリアと第二キャリアを配置して、且つ第一キャリアと第二キャリアの所在する周波数帯が異なることによって、異なる周波数帯の特点を柔軟に利用し、通信システム全体の設計をバランスさせる（例えば、５Ｇ通信システム）。
【００２０】
第二様態を組み合わせて、第二様態の一実現形態において、前記方法は、前記基地局は前記端末が送信した第二指示情報を受信し、前記第二指示情報が前記端末の位置情報、前記端末の目標ポートの基準信号に対する測定結果及び前記端末の移動速度情報の中の少なくとも一つを含むこと、及び前記基地局が前記第二指示情報によって、前記端末にモビリティ管理を行い、前記目標キャリアを更新することを更に含む。
【００２１】
本技術案において、基地局は第二指示情報に基づいて端末にモビリティ管理を行うことができ、端末に目標キャリアを更新し、端末は該端末伝送ニーズを満たす目標キャリアによって基地局と通信し、且つ端末が移動過程で基地局と通信する持続性を確保することができる。
【００２２】
第二様態又はその上記実現形態の任意の一つを組み合わせて、第二様態の他種の実現形態において、前記セルの第一キャリアの周波数帯は前記セルの第二キャリアの周波数帯よりも低い。
【００２３】
本技術案において、第一キャリアと第二キャリアの配置はそれぞれ異なる周波数帯にあり、端末は周波数帯の低い第一キャリアによって周波数帯の高い第二キャリアの作業パラメータを得ることができ、異なる周波数帯の特点を柔軟に利用し、通信システム全体の設計をバランスさせる。
【００２４】
第二様態又はその上記実現形態の任意の一つを組み合わせて、第二様態の他種の実現形態において、前記セルの第二キャリアの作業パラメータが前記セルの第二キャリアの基準信号の設定パラメータであり、前記セルの第二キャリアの測定結果は前記セルの第二キャリアの基準信号の品質を指示することに用いられる。
【００２５】
第三様態において、無線通信の装置を提供し、前記装置は第一様態における方法を実行するためのモジュールを含む。
【００２６】
第四様態において、無線通信の装置を提供し、前記装置は第二様態における方法を実行するためのモジュールを含む。
【００２７】
第五様態において、無線通信の装置を提供し、前記装置は、メモリ、プロセッサ、入力／出力インターフェース、通信インターフェース及びバスシステムを含む。メモリ、プロセッサ、入力／出力インターフェース及び通信インターフェースはバスシステムによって接続され、該メモリは指令を記憶することに用いられ、該プロセッサは該メモリに記憶された指令を実行することに用いられ、前記指令が実行される場合、前記プロセッサは前記通信インターフェースによって第一様態の方法を実行し、且つ入力／出力インターフェースを制御して入力されたデータ及び情報を受信し、操作結果等のデータを出力する。
【００２８】
第六様態において、無線通信の装置を提供し、前記装置は、メモリ、プロセッサ、入力／出力インターフェース、通信インターフェース及びバスシステムを含む。メモリ、プロセッサ、入力／出力インターフェース及び通信インターフェースはバスシステムによって接続され、該メモリは指令を記憶することに用いられ、該プロセッサは該メモリに記憶された指令を実行することに用いられ、前記指令が実行される場合、前記プロセッサは前記通信インターフェースによって第二様態の方法を実行し、入力／出力インターフェースを制御して入力されたデータ及び情報を受信し、操作結果等のデータを出力する。
【００２９】
第七様態において、コンピュータ可読記憶媒体を提供し、前記コンピュータ可読記憶媒体は無線通信の方法のプログラムコードに用いられ、前記プログラムコードは第一様態における方法の指令を実行することに用いられる。
【００３０】
第八様態において、コンピュータ可読記憶媒体を提供し、前記コンピュータ可読記憶媒体は無線通信の方法のプログラムコードに用いられ、前記プログラムコードは第二様態における方法指令を実行することに用いられる。
【００３１】
幾つかの実現形態において、上記第一キャリアは基礎キャリアと呼ばれ、上記第二キャリアは作業キャリアと呼ばれる。
【００３２】
幾つかの実現形態において、上記端末は上記セルの第二キャリアから目標キャリアを確定し、該目標キャリアは上記セルの第二キャリアの測定結果に基づいて確定されたものであってもよい。
【００３３】
幾つかの実現形態において、上記セルにおいて少なくとも１つの第二キャリアを配置する。
【００３４】
幾つかの実現形態において、前記基地局が前記セルの第二キャリアから目標キャリアを確定し、切り替え可能に、前記基地局が前記セルの第二キャリアの測定結果によって、前記セルの第二キャリアから目標キャリアを確定する。
【図面の簡単な説明】
【００３５】
【図１】本発明の実施例による無線通信の方法の概略フロー図である。
【図２】本発明の他の実施例による無線通信の方法の概略フロー図である。
【図３】本発明の実施例による無線通信の装置の概略ブロック図である。
【図４】本発明の他の実施例による無線通信の装置の概略ブロック図である。
【図５】本発明の他の実施例による無線通信の装置の概略ブロック図である。
【図６】本発明の他の実施例による無線通信の装置の概略ブロック図である。
【発明を実施するための形態】
【００３６】
本発明の実施例の技術案をより明確に説明するために、以下、本発明の実施例に使用する必要な図面を簡単に紹介し、明らかに、以下に記載の図面は単に本発明の幾つかの実施例であり、当業者にとって、創造的な作業を伴うことなくこれらの図面によって他の図面を得ることができる。
【００３７】
以下、本発明の実施例における図面を組み合わせて、本発明の実施例の中の技術案を明確、完全に説明し、明らかに、説明した実施例は本発明の一部の実施例であり、すべての実施例ではない。本発明における実施例に基づいて、当業者は創造的な作業なしに得られた他のすべての他の実施例は、すべて本発明の保護の範囲に属する。
【００３８】
本発明の技術案は、各種の通信システム、例えば、全球移動通信システム（Ｇｌｏｂａｌ  Ｓｙｓｔｅｍ  ｏｆ  Ｍｏｂｉｌｅ  ｃｏｍｍｕｎｉｃａｔｉｏｎ：ＧＳＭと略称）、コード分割多重アクセス（Ｃｏｄｅ  Ｄｉｖｉｓｉｏｎ  Ｍｕｌｔｉｐｌｅ  Ａｃｃｅｓｓ：ＣＤＭＡと略称）システム、ブロードバンドコード分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ：ＷＣＤＭＡと略称）、汎用パケット無線サービス（Ｇｅｎｅｒａｌ  Ｐａｃｋｅｔ  Ｒａｄｉｏ  Ｓｅｒｖｉｃｅ：ＧＰＲＳと略称）、長期的な進化（Ｌｏｎｇ  Ｔｅｒｍ  Ｅｖｏｌｕｔｉｏｎ：ＬＴＥと略称）等に用いることができることを理解すべきである。
【００３９】
端末はユーザ機器（Ｕｓｅｒ  Ｅｑｕｉｐｍｅｎｔ：ＵＥと略称）と呼ばれることができ、移動端末（Ｍｏｂｉｌｅ  Ｔｅｒｍｉｎａｌ）、移動ユーザ機器等と呼ばれてもよく、無線アクセスネットワーク（例えば、Ｒａｄｉｏ  Ａｃｃｅｓｓ  Ｎｅｔｗｏｒｋ：ＲＡＮと略称）によって１つ又は複数のコアネットワークと通信を行い、ユーザ機器は移動端末、例えば移動電話（又は「セルラー」電話と呼ばれる）と移動端末を有するコンピュータであってもよく、例えば、ポータブル、コンパクト型、ハンドヘルド、コンピュータ内蔵の又は車載の移動装置であってもよく、それらは無線アクセスネットワークと言語及び／又はデータを交換することを更に理解すべきである。
【００４０】
基地局は、ＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡにおける基地局（Ｎｏｄｅ  Ｂ）であってもよく、ＬＴＥにおける進化的基地局（ｅＮＢ又はｅ−ＮｏｄｅＢ、ｅｖｏｌｕｔｉｏｎａｌ  Ｎｏｄｅ  Ｂ）であってもよく、本発明を限定することなく、説明しやすいように、以下の実施例ではＮｏｄｅ  Ｂを例として説明する。
【００４１】
図１に、本発明によって実施された無線通信の方法の概略フロー図を示す。図１に示す方法は、以下を含み、
１１０において、端末はセルの第一キャリアから前記セルの第二キャリアの作業パラメータを取得し、前記第一キャリアの所在する周波数帯が前記第二キャリアの所在する周波数帯と異なる。
【００４２】
具体的には、ステップ１１０において、端末は第一キャリア（基礎キャリアと呼ばれる）によって該セルにおける少なくとも１つの第二キャリア（作業キャリアと呼ばれる）の中の各第二キャリアの作業パラメータを取得することができる。
【００４３】
選択的に、上記第二キャリアの作業パラメータは前記第二キャリアの作業周波数ポイント情報、前記第二キャリアのシステム帯域幅情報、前記第二キャリアの第一キャリアに対する時間同期情報、前記第二キャリアのサブキャリア間隔情報、前記第二キャリアの信号プレフィクス情報、前記第二キャリアのサブフレーム構造配置情報、前記第二キャリアのアップリンク及びダウンリンクタイムスロット配置情報、前記第二キャリアの同期信号の配置情報、前記第二キャリアの基準信号の配置情報、前記第二キャリアの識別情報及び前記第二キャリアのアンテナの配置情報を指してもよい。
【００４４】
具体的には、上記第二キャリアの第一キャリアに対する時間同期情報は第二キャリアの第一キャリアに対する時間オフセット、例えば、第二キャリアの第一キャリアに対する無線フレームオフセット、第二キャリアの第一キャリアに対するサブフレームオフセット、第二キャリアの第一キャリアに対する伝送時間間隔（Ｔｒａｎｓｍｉｓｓｉｏｎ  Ｔｉｍｅ  ｉｎｔｅｒｖａｌ、ＴＴＩ）オフセット、第二キャリアの第一キャリアに対する伝送シンボルオフセットを指してもよい。
【００４５】
上記第二キャリアの信号プレフィクス情報は信号のプレフィクスタイプ情報及び／又は信号のプレフィクスの長さ情報を含む。
【００４６】
上記第二キャリアのサブフレーム構造配置情報は第二キャリアのサブフレームにおける総のＯＦＤＭシンボル数、第二キャリアのサブフレームにおける保護間隔数又は位置、第二キャリアのサブフレームにおける異なるタイプＯＦＤＭシンボルの数配置情報、例えば、該サブフレームにおけるダウンリンク制御シンボル、ダウンリンクデータシンボル及びアップリンク制御シンボルの数、該サブフレームにおけるダウンリンク制御シンボル、ダウンリンクデータシンボル及びアップリンク制御シンボルの数の割合配置、該サブフレームにおけるダウンリンク制御シンボルとアップリンクデータシンボルの数、該サブフレームにおけるダウンリンク制御シンボルとアップリンクデータシンボルの割合配置を含んでもよい。
【００４７】
上記第二キャリアの同期信号配置情報は同期信号の時間周波数リソース位置情報及び／又は同期信号に含まれるシーケンス情報を含み、第二キャリアの同期信号のリソース位置情報は同期信号の時間周波数リソース配置情報、同期信号の所在するサブフレーム、同期信号の所在するシンボルを指示することに用いられる。
【００４８】
上記第二キャリアの基準信号の配置情報は、基準信号の時間周波数リソース配置情報、基準信号のシーケンス情報、基準信号の送信パワー配置情報及び基準信号のポート配置情報を含んでもよい。基準信号の時間周波数リソース配置情報は基準信号の時間周波数リソース伝送パターン（Ｐａｔｔｅｒｎ）の配置情報、該基準信号を伝送する伝送周期、該基準信号に利用されたサブフレームを伝送する配置情報等であってもよい。基準信号のシーケンス情報は該基準信号のスクランブリングシーケンスＩＤ、基準信号の直交コード長さ、基準信号の直交コードタイプ等の情報であってもよい。基準信号のポート配置情報は該基準信号を複合形成した物理アンテナポート数であってもよい。
【００４９】
上記端末は第一キャリアから第二キャリアの作業パラメータを取得し、端末が基地局によって第一キャリアで伝送された専用シグナリング（例えば、無線リソース制御シグナリング）から第二キャリアの作業パラメータを取得することを指してもよく、更に端末が、基地局が第一キャリアでブロードキャストの形式で送信された第二キャリアの作業パラメータを受信することを指してもよく、本発明の実施例は基地局が第一キャリアによって第二キャリアの作業パラメータを送信する形態を具体的に限定しないことを理解すべきである。
【００５０】
更に、基地局が第一キャリアによって端末へ第二キャリアの作業パラメータテーブルを送信し、該第二キャリアの作業パラメータテーブルは第二キャリアと作業パラメータとの対応関係を指示することに用いられることを理解すべきである。本発明は第二キャリアと作業パラメータとの対応関係の表現形式を具体的に限定しない。
【００５１】
さらに、端末が第一キャリアによって伝送速率に対する要求が高くないサービスのデータを伝送することができることを理解すべきである。
【００５２】
更に、上記第二キャリアはセル内に分布された異なる無線伝送点（Ｒａｄｉｏ  Ｔｒａｎｓｍｉｓｓｉｏｎ  Ｐｏｉｎｔ）、ラジオリモートユニット（Ｒａｄｉｏ  Ｒｅｍｏｔｅ  Ｕｎｉｔ：ＲＲＵと略称）、分散式アンテナ（Ｄｉｓｔｒｉｂｕｔｅｄ  Ａｎｔｅｎｎａ）、大規模アンテナアレイ（Ｍａｓｓｉｖｅ  ＭＩＭＯ）で形成された異なるビームで送信されることができることを理解すべきである。
【００５３】
選択的に、一実施例として、前記セルの第一キャリアの周波数帯は前記セルの第二キャリアの周波数帯よりも低い。
【００５４】
なお、上記第二キャリアの所在する周波数帯は同じであっても異なっていてもよい。即ち、異なる第二キャリアの空間カバレッジエリアは異なっても良い。上記第二キャリアは高い周波数帯に設置されることができ、例えば、第二キャリアが６ＧＨｚよりも高い周波数帯に設置されて、５Ｇ通信システムにおける要求された大帯域幅及び高い伝送速率のサービスを満たす。
【００５５】
上記第一キャリアは低い周波数帯に設置されてもよく、これにより大きいカバレッジ範囲を形成する。例えば、第一キャリアは６ＧＨｚよりも低い周波数帯に設置されてもよい。上記第一キャリアは従来ＬＴＥシステムにおけるキャリアであってもよいし、５Ｇ通信システムにおいて小さいデータ伝送能力を提供する周波数帯でのキャリアであってもよい。
【００５６】
なお、第一キャリアはＬＴＥシステムのキャリアである時、端末はＬＴＥのセルアクセス工程によってセルにアクセスされることができ、第一キャリアは５Ｇの通信システムにおけるキャリアである時、端末は５Ｇ通信システムにおけるセルアクセス技術によってセルにアクセスされることができ、本発明は端末がセルにアクセスされる方法を具体的に限定しない。
【００５７】
１２０において、前記端末は前記セルの第二キャリアの作業パラメータによって、前記セルの第二キャリアを測定し、前記セルの第二キャリアの測定結果を得る。
【００５８】
選択的に、一実施例として、前記セルの第二キャリアの作業パラメータが前記セルの第二キャリアの基準信号の設定パラメータであり、前記セルの第二キャリアの測定結果は前記セルの第二キャリアの基準信号の品質を指示することに用いられる。
【００５９】
例えば、上記第二キャリアの基準信号（Ｒｅｆｅｒｅｎｃｅ  Ｓｉｇｎａｌ：ＲＳと略称）の設定パラメータは、第二キャリアの基準信号のリソース設定パラメータを指すことができる。即ち、端末は基準信号のリソース設定パラメータによって基準信号を受信することができる。端末は受信された基準信号に基づいて、指定された測定帯域幅内に基準信号の品質情報、例えば基準信号受信パワー（ＲＳＲＰ：Ｒｅｆｅｒｅｎｃｅ  Ｓｉｇｎａｌ  Ｒｅｃｅｉｖｅｄ  Ｐｏｗｅｒ）又は基準信号受信品質（ＲＳＲＱ、Ｒｅｆｅｒｅｎｃｅ  Ｓｉｇｎａｌ  Ｒｅｃｅｉｖｅｄ  Ｑｕａｌｉｔｙ）等を得る。端末は基準信号の品質情報によって第二キャリアの測定結果を生成することができる。
【００６０】
１３０において、前記端末が前記セルの第二キャリアの測定結果によって、前記セルの第二キャリアから目標キャリアを確定する。
【００６１】
具体的には、上記目標キャリアは第二キャリアにおけるキャリアであり、該目標キャリアは第二キャリアの所在する周波数帯内に配置されてもよい。
【００６２】
選択的に、一実施例として、前記端末が前記セルの第二キャリアの測定結果によって、前記セルの第二キャリアから目標キャリアを確定することは、前記端末が基地局へ前記セルの第二キャリアの測定結果を送信すること、前記端末は前記基地局が送信した第一指示情報を受信し、前記第一指示情報は前記目標キャリアを指示することに用いられ、前記目標キャリアは前記基地局が前記セルの第二キャリアの測定結果に基づいて前記端末のために確定されるものであること、及び前記端末は前記第一指示情報によって、前記セルの第二キャリアから目標キャリアを確定することを含む。
【００６３】
例えば、端末は第一キャリアによってセル内の第二キャリアの基準信号の設定パラメータ（第二キャリアの作業パラメータの一例としてもよい）を取得し、端末はセル内の第二キャリアの基準信号の設定パラメータによってセル内の第二キャリアの基準信号を検出し、端末が該セル内第二キャリアの基準信号の品質（第二キャリアの測定結果の一例としてもよい）を受信することを確定し、セル内の第二キャリアの基準信号の品質を基地局に送信し、基地局はセル内の第二キャリアの基準信号の品質によって、端末に端末の通信ニーズを満たすことができる目標キャリアを配置することができる。基地局は第一指示情報によって、目標キャリアの情報を端末に送信し、端末は第一指示情報に含まれる目標キャリアの情報によって、目標キャリアを確定する。
【００６４】
選択的に、一実施例として、前記方法は更に、前記端末が前記基地局へ第二指示情報を送信し、前記第二指示情報が前記端末の位置情報、前記端末の目標ポートの基準信号に対する測定結果及び前記端末の移動速度情報の中の少なくとも一つを含み、前記基地局が前記第二指示情報に基づいて前記端末にモビリティ管理を行い、前記目標キャリアを更新するようにすることを含む。
【００６５】
具体的には、基地局は端末の位置情報及び／又は端末の目標ポートの基準信号に対する測定結果によって基地局と端末との間の相対的位置を確定してもよく、基地局は相対的位置及び／又は端末の移動速度によって該端末が目標キャリアの切り替えを行う必要があるかどうかを確定してもよい。
【００６６】
なお、基地局は目標ポートの基準信号の測定結果によって基地局と端末との相対的位置を確定する。例えば、基地局は異なる無線伝送点の信号強度によって基地局と端末との相対的位置を確定する。即ち、基地局は端末へ目標無線伝送点を送信してもよく、端末は目標無線伝送点の信号を測定することができ、基地局は端末が送信した目標無線伝送点の信号強度の測定結果によって端末と基地局との間の相対的位置を確定することができる。
【００６７】
基地局は更に基地局と端末との相対的位置、及びセル内の第二キャリアの測定結果を組み合わせて端末に目標キャリアを配置することができることを理解すべきである。
【００６８】
選択的に、一実施例として、前記端末が前記セルの第二キャリアの測定結果によって、前記セルの第二キャリアから目標キャリアを確定することは、前記端末が前記セルの第二キャリアの測定結果によって、前記セルの第二キャリアから前記目標キャリアを確定することを含む。
【００６９】
具体的には、端末はセルの第二キャリアの測定結果によって、能動的に前記セルの第二キャリアから目標キャリアを選択することができる。
【００７０】
なお、端末はセルの第二キャリアの測定結果によって、能動的に前記セルの第二キャリアから目標キャリアを選択することができ、端末がセルの第二キャリアの測定結果、及び所定の目標キャリアによって条件を選択して、能動的に前記セルの第二キャリアから目標キャリアを選択することができることを指すことができる。
【００７１】
更に、上記所定の目標キャリア選択条件は該キャリアでの基準信号の送信品質又は基準信号送信パワーの閾値であってもよく、本発明はこれを具体的に限定しないことを理解すべきである。
【００７２】
選択的に、一実施例として、前記第二キャリアの作業パラメータは前記第二キャリアのカバレッジ範囲を含み、前記端末が前記セルの第二キャリアの測定結果によって、前記セルの第二キャリアから前記目標キャリアを確定することは、前記端末が前記セルの第二キャリアの測定結果、前記端末の位置情報及び前記第二キャリアのカバレッジ範囲によって、前記セルの第二キャリアから前記目標キャリアを確定することを含む。
【００７３】
なお、端末は更に第二キャリアの測定結果、前記端末の位置情報及び前記第二キャリアのカバレッジ範囲によって、切り替えを行う必要があるかどうかの目標キャリアを確定することができる。
【００７４】
選択的に、一実施例として、端末は更に端末の移動速度、第二キャリアの測定結果、前記端末の位置情報及び前記第二キャリアのカバレッジ範囲によって、目標キャリアを切り替える必要があるかどうかを確定することができる。
【００７５】
１４０において、前記端末は前記目標キャリアによって基地局と通信する。
【００７６】
具体的には、端末は目標キャリアによって基地局が送信したスケジューリング指令を受信することができ、更に目標キャリアによってサービス、例えば５Ｇサービスを伝送することができる。
【００７７】
なお、基地局は端末が伝送するサービスが伝送品質に対するニーズが高くないと確定すると、即ち、第一キャリアは該サービスの必要とする伝送品質を満たすことができる時、基地局は端末が第一キャリアによって該サービスのデータ伝送を行うように指示することができる。
【００７８】
本技術案はセルに第一キャリアと第二キャリアを配置して、且つ第一キャリアと第二キャリアの所在する周波数帯が異なることによって、異なる周波数帯の特点を柔軟に利用し、通信システム全体の設計をバランスさせる（例えば、５Ｇ通信システム）。
【００７９】
図２に、本発明の他の実施例の無線通信の方法の概略フロー図を示す。図２に示す方法の具体的な細部は図１に示す方法を紹介する時詳細に紹介しており、繰り返さないように、ここで再び説明しないことを理解すべきである。図２に示す方法は以下のステップを含み、
２１０において、端末がセルの第一キャリアによって前記セルの第二キャリアの作業パラメータを取得した後、前記基地局は端末が送信したセルの第二キャリアの測定結果を受信する。
【００８０】
選択的に、一実施例として、前記セルの第一キャリアの周波数帯は前記セルの第二キャリアの周波数帯よりも低い。
【００８１】
２２０において、前記基地局が前記セルの第二キャリアから目標キャリアを確定する。
【００８２】
具体的には、セルにおいて複数の第二キャリアを配置することができ、基地局は端末が送信した複数の第二キャリアに対する測定結果によって端末に端末の伝送ニーズを満たす目標キャリアを配置することができる。
【００８３】
なお、基地局は端末が伝送する必要があるサービスが伝送品質に対する要求が高くないと確定する時、即ち、第一キャリアは該サービスの必要な伝送品質を満たす時、基地局は端末が第一キャリアによって該サービスのデータ伝送を行うことを指示することができる。
【００８４】
選択的に、一実施例として、前記セルの第二キャリアの作業パラメータが前記セルの第二キャリアの基準信号の設定パラメータであり、前記セルの第二キャリアの測定結果は前記セルの第二キャリアの基準信号の品質を指示することに用いられる。
【００８５】
２３０において、前記基地局は前記端末へ第一指示情報を送信し、前記第一指示情報は前記目標キャリアを指示することに用いられる。
【００８６】
具体的には、第一指示情報は、目標キャリアの所在する周波数帯の周波数帯情報を含んでよく、第一指示情報は、目標キャリアの番号等の情報を更に含んでもよい。
【００８７】
本技術案はセルに第一キャリアと第二キャリアを配置して、且つ第一キャリアと第二キャリアの所在する周波数帯が異なることによって、異なる周波数帯の特点を柔軟に利用し、５Ｇ通信システム全体の設計をバランスさせる。
【００８８】
選択的に、一実施例として、前記基地局は前記端末が送信した第二指示情報を受信し、前記第二指示情報は前記端末の位置情報、前記端末の目標ポートの基準信号に対する測定結果及び前記端末の移動速度情報の中の少なくとも一つを含み、前記基地局は前記第二指示情報によって、前記端末にモビリティ管理を行い、前記目標キャリアを更新する。
【００８９】
具体的には、端末が送信した端末の位置及び前記端末の目標ポートの基準信号に対する測定結果によって、端末と基地局との間の相対的位置を確定し、基地局は上記相対的位置と端末の移動速度によって、端末のために目標キャリアを更新する。
【００９０】
基地局は端末へ第三指示情報を送信することができ、該第三指示情報は端末が基地局へ第二指示情報を送信することを指示することができ、端末は能動的に基地局へ第二指示情報を送信してもよく、本発明の実施例はこれを具体的に限定しないことを理解すべきである。
【００９１】
更に、目標キャリアを更新することは第一目標キャリアから第二目標キャリアに切り替えられることを指してもよく、第一目標キャリアと第二目標キャリアは同一のセル内（即ち同一の第一キャリアのカバレッジ範囲内）にあってもよいことを理解すべきである。
【００９２】
上述のように、図１と図２を組み合わせて本発明の実施例の無線通信の方法を詳細に紹介し説明した。以下、図３〜図６を組み合わせて詳細に本発明の実施例の無線通信の装置を説明する。図３と図５に示す装置は図１における各ステップを実現することができ、図４と図６に示す装置は図２における各ステップを実現することができ、繰り返さないように、ここで再び詳細に説明しないことを理解すべきである。
【００９３】
図３は本発明の実施例による無線通信の装置の概略ブロック図である。図３に示す装置３００は、取得モジュール３１０、処理モジュール３２０、確定モジュール３３０及び通信モジュール３４０を含む。
【００９４】
取得モジュール３１０は、セルの第一キャリアから前記セルの第二キャリアの作業パラメータを取得することに用いられ、前記第一キャリアの所在する周波数帯が前記第二キャリアの所在する周波数帯と異なる。
【００９５】
処理モジュール３２０は、前記取得モジュールで取得された前記セルの第二キャリアの作業パラメータによって、前記セルの第二キャリアを測定し、前記セルの第二キャリアの測定結果を得ること用いられる。
【００９６】
確定モジュール３３０は、前記セルの第二キャリアから目標キャリアを確定することに用いられる。
【００９７】
通信モジュール３４０は、前記目標キャリアによって基地局と通信することに用いられる。
【００９８】
本技術案はセルに第一キャリアと第二キャリアを配置して、且つ第一キャリアと第二キャリアの所在する周波数帯が異なることによって、異なる周波数帯の特点を柔軟に利用し、５Ｇ通信システム全体の設計をバランスさせる。
【００９９】
選択的に、一実施例として、前記確定モジュールは具体的に、基地局へ前記セルの第二キャリアの測定結果を送信し、前記基地局が送信した第一指示情報を受信し、前記第一指示情報は前記目標キャリアを指示することに用いられ、前記目標キャリアは前記基地局が前記セルの第二キャリアの測定結果に基づいて前記端末のために確定されるものであり、前記第一指示情報によって、前記セルの第二キャリアから目標キャリアを確定することに用いられる。
【０１００】
選択的に、一実施例として、前記装置は送信モジュールを更に含み、前記基地局へ第二指示情報を送信し、前記第二指示情報が前記端末の位置情報、前記端末の目標ポートの基準信号に対する測定結果及び前記端末の移動速度情報の中の少なくとも一つを含み、前記基地局が前記第二指示情報に基づいて前記端末にモビリティ管理を行い、前記目標キャリアを更新するようにすることに用いられる。
【０１０１】
選択的に、一実施例として、前記確定モジュールは具体的に、前記セルの第二キャリアの測定結果によって、前記セルの第二キャリアから前記目標キャリアを確定することに用いられる。
【０１０２】
選択的に、一実施例として、前記第二キャリアの作業パラメータは前記第二キャリアのカバレッジ範囲を含み、前記確定モジュールは更に具体的に、前記セルの第二キャリアの測定結果、前記端末の位置情報及び前記第二キャリアのカバレッジ範囲によって、前記セルの第二キャリアから前記目標キャリアを確定することに用いられる。
【０１０３】
選択的に、一実施例として、前記セルの第一キャリアの周波数帯は前記セルの第二キャリアの周波数帯よりも低い。
【０１０４】
選択的に、一実施例として、前記セルの第二キャリアの作業パラメータが前記セルの第二キャリアの基準信号の設定パラメータであり、前記セルの第二キャリアの測定結果は前記セルの第二キャリアの基準信号の品質を指示することに用いられる。
【０１０５】
図４は本発明の他の実施例による無線通信の装置の概略ブロック図である。図４に示す装置４００は、第一受信モジュール４１０、確定モジュール４２０及び送信モジュール４３０を含む。
【０１０６】
第一受信モジュール４１０は、端末がセルの第一キャリアによって前記セルの第二キャリアの作業パラメータを取得した後、端末が送信したセルの第二キャリアの測定結果を受信することに用いられ、
確定モジュール４２０は、前記セルの第二キャリアから目標キャリアを確定することに用いられ、
送信モジュール４３０は、前記端末へ第一指示情報を送信し、前記第一指示情報が前記目標キャリアを指示することに用いられる。
【０１０７】
本技術案はセルに第一キャリアと第二キャリアを配置して、且つ第一キャリアと第二キャリアの所在する周波数帯が異なることによって、異なる周波数帯の特点を柔軟に利用し、通信システム全体の設計をバランスさせる（例えば、５Ｇ通信システム）。
【０１０８】
選択的に、一実施例として、前記装置は第二受信モジュールを更に含み、前記端末が送信した第二指示情報を受信することに用いられ、前記第二指示情報は前記端末の位置情報、前記端末の目標ポートの基準信号に対する測定結果及び前記端末の移動速度情報の中の少なくとも一つを含み、更新モジュールは、前記第二指示情報によって、前記端末にモビリティ管理を行い、前記目標キャリアを更新することに用いられる。
【０１０９】
選択的に、一実施例として、前記セルの第一キャリアの周波数帯は前記セルの第二キャリアの周波数帯よりも低い。
【０１１０】
選択的に、一実施例として、前記セルの第二キャリアの作業パラメータが前記セルの第二キャリアの基準信号の設定パラメータであり、前記セルの第二キャリアの測定結果は前記セルの第二キャリアの基準信号の品質を指示することに用いられる。
【０１１１】
図５は本発明の他の実施例による無線通信の装置の概略ブロック図である。図５に示す信号検出又は測定の装置５００は第一伝送点であってもよく、該装置５００は、メモリ５１０、プロセッサ５２０、入力／出力インターフェース５３０、通信インターフェース５４０及びバスシステム５５０を含む。メモリ５１０、プロセッサ５２０、入力／出力インターフェース５３０及び通信インターフェース５４０はバスシステム５５０によって接続され、該メモリ５１０は指令を記憶することに用いられ、該プロセッサ５２０は該メモリ５１０に記憶された指令を実行して、入力／出力インターフェース５３０が入力されたデータ及び情報、出力操作結果等のデータを受信するように制御し、且つ通信インターフェース５４０が信号を送信するように制御する。
【０１１２】
通信インターフェース５４０は、セルの第一キャリアから前記セルの第二キャリアの作業パラメータを取得することに用いられ、前記第一キャリアの所在する周波数帯が前記第二キャリアの所在する周波数帯と異なる。
【０１１３】
プロセッサ５２０は、前記取得モジュールが取得した前記セルの第二キャリアの作業パラメータによって、前記セルの第二キャリアを測定し、前記セルの第二キャリアの測定結果を得る。更に前記セルの第二キャリアから目標キャリアを確定することに用いられる。
【０１１４】
通信インターフェース５４０は、更に前記目標キャリアによって基地局と通信することに用いられる。
【０１１５】
本発明の実施例において、該プロセッサ５２０は汎用の中央プロセッサ（Ｃｅｎｔｒａｌ  Ｐｒｏｃｅｓｓｉｎｇ  Ｕｎｉｔ：ＣＰＵと略称）、マイクロプロセッサ、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣと略称）、又は１つ又は複数の集積回路を用いて、関連するプログラムを実行することに用いられ、本発明の実施例が提供した技術案を実現することを理解すべきである。
【０１１６】
更に、通信インターフェース５４０が例えばトランシーバのような送受信装置を使用して、信号検出又は測定の装置５００と他の設備又は通信ネットワークの間の通信を実現するが、それらに限定されないことを理解すべきである。
【０１１７】
該メモリ５１０は、読み取り専用メモリ及びランダムアクセスメモリを含んでよく、且つプロセッサ５２０へ指令及びデータを提供する。プロセッサ５２０の一部は、不揮発性ランダムアクセスメモリを更に含んでもよい。例えば、プロセッサ５２０は更に設備タイプの情報を記憶してもよい。
【０１１８】
該バスシステム５５０はデータバスを含む以外、電源バス、制御バス及び状態信号バス等を更に含んでもよい。しかし、明確に説明するために、図面において各種のバスをすべてバスシステム５５０と表記する。
【０１１９】
実現過程において、上記方法の各ステップはプロセッサ５２０におけるハードウェアの集積ロジック回路又はソフトウェア形式の指令によって完成されることができる。本発明の実施例を組み合わせて開示された無線通信の方法のステップは直接にハードウェアプロセッサの実行を完成するか、又はプロセッサにおけるハードウェア及びソフトウェアモジュールを組わせて実行して完成すると表現することができる。ソフトウェアモジュールはランダムメモリ、フラッシュメモリ、読み取り専用メモリ、プログラマブル読み取り専用メモリ又は電気的に消去可能なプログラマブルメモリ、レジスター等の本分野で成熟した記憶媒体であってもよい。該記憶媒体はメモリ５１０であり、プロセッサ５２０はメモリ５１０における情報を読み取り、そのハードウェアを組み合わせて上記方法のステップを完成する。繰り返さないように、ここで繰り返して説明しない。
【０１２０】
本技術案はセルに第一キャリアと第二キャリアを配置して、且つ第一キャリアと第二キャリアの所在する周波数帯が異なることによって、異なる周波数帯の特点を柔軟に利用し、５Ｇ通信システム全体の設計をバランスさせる。
【０１２１】
選択的に、一実施例として、前記プロセッサ５２０は具体的に、基地局へ前記セルの第二キャリアの測定結果を送信し、前記基地局が送信した第一指示情報を受信し、前記第一指示情報は前記目標キャリアを指示することに用いられ、前記目標キャリアは前記基地局が前記セルの第二キャリアの測定結果に基づいて前記端末のために確定されるものであり、前記第一指示情報によって、前記セルの第二キャリアから目標キャリアを確定することに用いられる。
【０１２２】
選択的に、一実施例として、前記通信インターフェース５４０は、前記基地局へ第二指示情報を送信し、前記第二指示情報が前記端末の位置情報、前記端末の目標ポートの基準信号に対する測定結果及び前記端末の移動速度情報の中の少なくとも一つを含み、前記基地局が前記第二指示情報に基づいて前記端末にモビリティ管理を行い、前記目標キャリアを更新するようにすることに用いられる。
【０１２３】
選択的に、一実施例として、前記プロセッサ５２０は具体的に、前記セルの第二キャリアの測定結果によって、前記セルの第二キャリアから前記目標キャリアを確定することに用いられる。
【０１２４】
選択的に、一実施例として、前記第二キャリアの作業パラメータは前記第二キャリアのカバレッジ範囲を含み、前記プロセッサ５２０は更に具体的に、前記セルの第二キャリアの測定結果、前記端末の位置情報及び前記第二キャリアのカバレッジ範囲によって、前記セルの第二キャリアから前記目標キャリアを確定することに用いられる。
【０１２５】
選択的に、一実施例として、前記セルの第一キャリアの周波数帯は前記セルの第二キャリアの周波数帯よりも低い。
【０１２６】
選択的に、一実施例として、前記セルの第二キャリアの作業パラメータが前記セルの第二キャリアの基準信号の設定パラメータであり、前記セルの第二キャリアの測定結果は前記セルの第二キャリアの基準信号の品質を指示することに用いられる。
【０１２７】
図６は本発明の他の実施例による無線通信の装置の概略ブロック図である。図６に示す信号検出又は測定の装置６００は基地局であってもよく、該装置６００は、メモリ６１０、プロセッサ６２０、入力／出力インターフェース６３０、通信インターフェース６４０及びバスシステム６５０を含む。メモリ６１０、プロセッサ６２０、入力／出力インターフェース６３０及び通信インターフェース６４０はバスシステム６５０によって接続され、該メモリ６１０は指令を記憶することに用いられ、該プロセッサ６２０は該メモリ６１０に記憶された指令を実行することに用いられ、これにより入力／出力インターフェース６３０で入力されたデータ及び情報を受信し、操作結果等のデータを出力するように制御し、且つ通信インターフェース６４０は信号を送信するように制御する。
【０１２８】
通信インターフェース６４０は、端末がセルの第一キャリアによって前記セルの第二キャリアの作業パラメータを取得した後、端末が送信したセルの第二キャリアの測定結果を受信することに用いられ、
プロセッサ６２０は、前記セルの第二キャリアから目標キャリアを確定することに用いられ、
通信インターフェース６４０は、前記端末へ第一指示情報を送信し、前記第一指示情報が前記目標キャリアを指示することに用いられる。
【０１２９】
本発明の実施例において、該プロセッサ６２０は汎用の中央プロセッサ（Ｃｅｎｔｒａｌ  Ｐｒｏｃｅｓｓｉｎｇ  Ｕｎｉｔ：ＣＰＵと略称）、マイクロプロセッサ、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、又は１つ又は複数の集積回路で、関連するプログラムを実行することに用いられ、本発明の実施例が提供した技術案を実現することを理解すべきである。
【０１３０】
更に、通信インターフェース６４０は例えばトランシーバ一のような送受信装置を使用して、信号検出又は測定の装置６００と他の設備又は通信ネットワークとの間の通信を実現するが、これらに限定されないことを理解すべきである。
【０１３１】
該メモリ６１０は、読み取り専用メモリとランダムアクセスメモリを含んでよく、且つプロセッサ６２０へ指令とデータを提供する。プロセッサ６２０の一部は、不揮発性ランダムアクセスメモリを含んでもよい。例えば、プロセッサ６２０は更に設備タイプの情報を記憶することができる。
【０１３２】
該バスシステム６５０はデータバスを含む以外、更に、電源バス、制御バス及び状態信号バス等を含んでもよい。しかし、明確に説明するために、図面において各種のバスをすべてバスシステム６５０と表記する。
【０１３３】
実現過程において、上記方法の各ステップはプロセッサ６２０におけるハードウェアの集積ロジック回路又はソフトウェア形式の指令によって完成されることができる。本発明の実施例を組み合わせて開示された無線通信の方法のステップは直接にハードウェアプロセッサの実行を完成するか、又はプロセッサにおけるハードウェア及びソフトウェアモジュールを組わせて実行して完成すると表現することができる。ソフトウェアモジュールはランダムメモリ、フラッシュメモリ、読み取り専用メモリ、プログラマブル読み取り専用メモリ又は電気的に消去可能なプログラマブルメモリ、レジスター等の本分野で成熟した記憶媒体であってもよい。該記憶媒体はメモリ６１０であり、プロセッサ６２０はメモリ６１０における情報を読み取り、そのハードウェアを組み合わせて上記方法のステップを完成する。繰り返さないように、ここで繰り返して説明しない。
【０１３４】
本技術案はセルに第一キャリアと第二キャリアを配置して、且つ第一キャリアと第二キャリアの所在する周波数帯が異なることによって、異なる周波数帯の特点を柔軟に利用し、５Ｇ通信システム全体の設計をバランスさせる。
【０１３５】
選択的に、一実施例として、前記通信インターフェース６４０は、前記端末が送信した第二指示情報を受信することに用いられ、前記第二指示情報は前記端末の位置情報、前記端末の目標ポートの基準信号に対する測定結果及び前記端末の移動速度情報の中の少なくとも一つを含み、更新モジュールは、前記第二指示情報によって、前記端末にモビリティ管理を行い、前記目標キャリアを更新することに用いられる。
【０１３６】
選択的に、一実施例として、前記セルの第一キャリアの周波数帯は前記セルの第二キャリアの周波数帯よりも低い。
【０１３７】
選択的に、一実施例として、前記セルの第二キャリアの作業パラメータが前記セルの第二キャリアの基準信号の設定パラメータであり、前記セルの第二キャリアの測定結果は前記セルの第二キャリアの基準信号の品質を指示することに用いられる。
【０１３８】
本発明の実施例において、「Ａに対応するＢ」とはＢがＡに関連すると示され、ＡによってＢを確定することができることを理解すべきである。しかし、更に、ＡによってＢを確定することは単にＡによってＢを確定することを意味せず、更にＡ及び／又はその他の情報によってＢを確定することができることを理解すべきである。
【０１３９】
本文における用語「及び／又は」は、単に関連オブジェクトを説明するための関連関係であり、三種の関係が存在してもよいことを示し、例えば、Ａ及び／又はＢは、単独にＡが存在し、同時にＡとＢが存在し、単独にＢが存在するという三種の場合を示すことができる。また、本文におけるキャラクター「／」は、一般的に前後関連オブジェクトが「又は」の関係であることを示すことを理解すべきである。
【０１４０】
本発明の各種の実施例において、上記各過程のシリアル番号の大きさが実行順序の前後を意味せず、各過程の実行順序がその機能及び内部ロジックによって確定されるべき、本発明の実施例の実施過程に任意の限定を構成しないことを理解すべきである。
【０１４１】
当業者は、本文に開示された実施例に記載の各例示のユニット及アルゴリズムステップを組み合わせて、電子ハードウェア、又はコンピュータソフトウェア及び電子ハードウェアを組み合わせて実現することができることを認識することができる。これらの機能はハードウェアで実行するかソフトウェアで実行するかは、技術案の特定のアプリケーションおよび設計制約に依存する。当業者は各特定のアプリケーションに対して異なる方法で説明した機能を実現することができるが、このような実現は本発明の範囲を超えると考えない。
【０１４２】
当業者は、便利且つ簡単に説明するために、上記記載のシステム、装置及びユニットの具体的な作業過程は、上記方法の実施例における対応過程を参照することができ、ここで繰り返して説明しないことを明らかに理解する。
【０１４３】
本発明によるいくつかの実施例において、開示したシステム、装置及び方法は、その他の方式によって実現されることができることを理解すべきである。例えば以上のような装置実施例は単に例示的なものに過ぎず、例えば、前記ユニットの分割は、ロジック機能分割に過ぎず、実際の実現時に他の分割方式があり、例えば、複数のユニット又は組立部品を結合してもよいし、又は他のシステムに集積してもよいし、又はいくつかの特徴を無視することができ、又は実行しなくてもよい。また、表示又は検討した各組成部分の互いの間にカップリング、又は直接カップリング、又は通信接続はいくつかのインターフェース、装置又はユニットによる間接カップリング又は通信接続があってもよく、電気的、機械的又はその形式の接続であってもよい。
【０１４４】
上記の分離部材として説明したユニットは物理的に分離してもよいし、又は分離しなくてもよく、ユニットとして表示する部材は物理ユニットであってもよいし、又は物理ユニットでなくてもよく、即ち１つの場所に位置してもよいし、複数のネットワークユニットに分布してもよく、実際のニーズに応じてその中の一部又は全部のユニットを選択して本実施例手段の目的を実現することができる。
【０１４５】
また、本発明の各実施例における各機能ユニットは１つの処理ユニットに集積されてもよいし、各ユニットは単独に物理的に存在してもよいし、２つ又は２つ以上のユニットは１つのユニットに集積されてもよい。
【０１４６】
前記機能はソフトウェア機能ユニットの形式で実現して、且つ独立した製品として販売又は使用する際に、１つのコンピュータの読み取り可能な記憶媒体に記憶されることができる。このような理解に基づいて、本発明の実施例の技術的解決手段は本質的に或いは従来技術に貢献する部分又は技術的解決手段の部分はソフトウェア製品の形式で表現することができ、該コンピュータソフトウェア製品が１つの記憶媒体に記憶され、一台のコンピュータ設備（パーソナルコンピュータ、サーバー、或いはネットワーク設備等である）が本発明の各実施例に記載の方法の全部又は一部のステップを実行するための若干の指令を含む。上記の記憶媒体は、Ｕディスク、モバイルハードディスク、読み取り専用メモリ（Ｒｅａｄ−Ｏｎｌｙ  Ｍｅｍｏｒｙ：ＲＯＭと略称）、ランダムアクセスメモリ（Ｒａｎｄｏｍ  Ａｃｃｅｓｓ  Ｍｅｍｏｒｙ：ＲＡＭと略称）、ディスク或いはＣＤ等の様々なプログラムコードを記憶できる媒体である。
【０１４７】
以上のように、単に本発明の具体的な実施形態であるが、本発明の保護範囲はこれに限定されず、いずれかの当業者は本発明に開示された技術範囲において、変化又は切り替えを容易に考えることが可能であり、それらはすべて本発明の保護範囲にある。このため、本発明の保護範囲は前記請求の範囲の保護範囲を基準とすべきである。
【図１】
2019523579.tif 000003
【図２】
2019523579.tif 000004
【図３】
2019523579.tif 000005
【図４】
2019523579.tif 000006
【図５】
2019523579.tif 000007
【図６】
2019523579.tif 000008
【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
無線通信の方法であって、
端末はセルの第一キャリアから前記セルの第二キャリアの作業パラメータを取得し、前記第一キャリアの所在する周波数帯が前記第二キャリアの所在する周波数帯と異なること、
前記端末は前記セルの第二キャリアの作業パラメータによって、前記セルの第二キャリアを測定し、前記セルの第二キャリアの測定結果を得ること、
前記端末が前記セルの第二キャリアから目標キャリアを確定すること、及び
前記端末は前記目標キャリアによって基地局と通信することを含むことを特徴とする、無線通信の方法。
【請求項２】
前記端末が前記セルの第二キャリアから目標キャリアを確定することは、
前記端末が基地局へ前記セルの第二キャリアの測定結果を送信すること、
前記端末は前記基地局が送信した第一指示情報を受信し、前記第一指示情報は前記目標キャリアを指示することに用いられ、前記目標キャリアは、前記基地局が前記セルの第二キャリアの測定結果に基づいて前記端末のために確定されるものであること、及び
前記端末は前記第一指示情報によって、前記セルの第二キャリアから目標キャリアを確定することを含むことを特徴とする
請求項１に記載の方法。
【請求項３】
前記方法は、
前記端末が前記基地局へ第二指示情報を送信し、前記第二指示情報は前記端末の位置情報、前記端末の目標ポートの基準信号に対する測定結果及び前記端末の移動速度情報の中の少なくとも一つを含み、前記基地局が前記第二指示情報に基づいて前記端末にモビリティ管理を行い、前記目標キャリアを更新するようにすることを更に含むことを特徴とする  請求項２に記載の方法。
【請求項４】
前記端末が前記セルの第二キャリアから目標キャリアを確定することは、
前記端末が前記セルの第二キャリアの測定結果によって、前記セルの第二キャリアから前記目標キャリアを確定することを含むことを特徴とする
請求項１に記載の方法。
【請求項５】
前記第二キャリアの作業パラメータは前記第二キャリアのカバレッジ範囲を含み、前記端末が前記セルの第二キャリアの測定結果によって、前記セルの第二キャリアから前記目標キャリアを確定することは、
前記端末が前記セルの第二キャリアの測定結果、前記端末の位置情報及び前記第二キャリアのカバレッジ範囲によって、前記セルの第二キャリアから前記目標キャリアを確定することを含むことを特徴とする
請求項４に記載の方法。
【請求項６】
前記セルの第一キャリアの周波数帯は前記セルの第二キャリアの周波数帯よりも低いことを特徴とする
請求項１乃至５のいずれか一項に記載の方法。
【請求項７】
前記セルの第二キャリアの作業パラメータが前記セルの第二キャリアの基準信号の設定パラメータであり、前記セルの第二キャリアの測定結果は前記セルの第二キャリアの基準信号の品質を指示することに用いられることを特徴とする
請求項１乃至６のいずれか一項に記載の方法。
【請求項８】
無線通信の方法であって、
端末がセルの第一キャリアによって前記セルの第二キャリアの作業パラメータを取得した後、基地局は端末が送信したセルの第二キャリアの測定結果を受信すること、
前記基地局が前記セルの第二キャリアから目標キャリアを確定すること、及び
前記基地局は前記端末へ第一指示情報を送信し、前記第一指示情報は前記目標キャリアを指示することに用いられることを含むことを特徴とする、無線通信の方法。
【請求項９】
前記方法は、
前記基地局は前記端末が送信した第二指示情報を受信し、前記第二指示情報が前記端末の位置情報、前記端末の目標ポートの基準信号に対する測定結果及び前記端末の移動速度情報の中の少なくとも一つを含むこと、及び
前記基地局は前記第二指示情報によって、前記端末にモビリティ管理を行い、前記目標キャリアを更新することを更に含むことを特徴とする
請求項８に記載の方法。
【請求項１０】
前記セルの第一キャリアの周波数帯は前記セルの第二キャリアの周波数帯よりも低いことを特徴とする
請求項８又は９に記載の方法。
【請求項１１】
前記セルの第二キャリアの作業パラメータが前記セルの第二キャリアの基準信号の設定パラメータであり、前記セルの第二キャリアの測定結果は前記セルの第二キャリアの基準信号の品質を指示することに用いられることを特徴とする
請求項８乃至１０のいずれか一項に記載の方法。
【請求項１２】
無線通信の装置であって、
メモリと、
前記無線通信の装置が請求項１乃至７のいずれか一項に記載の方法を実施するように、前記メモリに記憶される命令を実行するように構成されるプロセッサと、を含むことを特徴とする、無線通信の装置。
【国際調査報告】
2019523579.tif 000009
2019523579.tif 000010
2019523579.tif 000011
2019523579.tif 000012